(57)【要約】【課題】  通信システムにおいて、伝送速度の切替処理による影響を抑え、回線品質の変動によらずに最適な帯域で利用できるようにすることを目的としている。【解決手段】  帯域制御方式において、回線品質に応じて伝送速度の切替を行う第１の方式、または、第１の方式による切替の頻度を下げて伝送速度の切替を行う第２の方式により、伝送速度を制御する伝送速度制御部と、前記伝送速度制御部で制御された伝送速度の時間変化を監視する監視部と、前記監視部による監視結果に基づいて第１の方式または第２の方式を選択する帯域制御部と、を備えた。【選択図】  図１
2007312095.tif 000002
【特許請求の範囲】
【請求項１】
回線品質に応じて伝送速度の切替を行う第１の方式、または、第１の方式による切替の頻度を下げて伝送速度の切替を行う第２の方式により、伝送速度を制御する伝送速度制御部と、
前記伝送速度制御部で制御された伝送速度の時間変化を監視する監視部と、
前記監視部による監視結果に基づいて第１の方式または第２の方式を選択する帯域制御部と、
を備えたことを特徴とする帯域制御方式。
【請求項２】
回線品質に応じて伝送速度の切替を行う第１の方式、または、伝送速度が段階的に回復するように伝送速度の切替を行う第３の方式により、伝送速度を制御する伝送速度制御部と、
前記伝送速度制御部で制御された伝送速度の時間変化を監視する監視部と、
前記監視部による監視結果に基づいて第１の方式または第３の方式を選択する帯域制御部と、
を備えたことを特徴とする帯域制御方式。
【請求項３】
回線品質に応じて伝送速度の切替を行う第１の方式、第１の方式による切替の頻度を下げて伝送速度の切替を行う第２の方式、または、伝送速度が段階的に回復するように伝送速度の切替を行う第３の方式により、伝送速度を制御する伝送速度制御部と、
前記伝送速度制御部で制御された伝送速度の時間変化を監視する監視部と、
前記監視部による監視結果に基づいて第１の方式、第２の方式または第３の方式を選択する帯域制御部と、
を備えたことを特徴とする帯域制御方式。
【請求項４】
前記監視部は、前記伝送速度の時間変化としての伝送速度の切替頻度を監視し、
前記帯域制御部は、前記伝送速度の切替頻度が第１のしきい値以下のときに第１の方式を選択し、前記伝送速度の切替頻度が第１のしきい値を超えたときに第２の方式を選択することを特徴とする請求項１または請求項３に記載の帯域制御方式。
【請求項５】
前記監視部は、前記伝送速度の時間変化としての伝送速度の低下量を監視し、
前記帯域制御部は、前記伝送速度の低下量が第２のしきい値以下のときに第１の方式を選択し、前記伝送速度の低下量が第２のしきい値を超えたときに第３の方式を選択することを特徴とする請求項２または請求項３に記載の帯域制御方式。
【請求項６】
伝送速度の切替頻度と最適帯域のための伝送速度の最大切替頻度との関係を示す情報および／または伝送速度の低下量と最適帯域のための伝送速度の段階的な回復量との関係を示す情報を保持する最適帯域情報保持部と、を備え、
前記帯域制御部は、前記最適帯域情報保持部で保持された情報に基づいて、第２の方式における伝送速度の最大切替頻度および／または第３の方式における伝送速度の段階的な回復量を求めることを特徴とする請求項４または請求項５に記載の帯域制御方式。
【請求項７】
回線品質に応じて伝送速度の切替を行う第１の方法、または、第１の方法による切替の頻度を下げて伝送速度の切替を行う第２の方法により、伝送速度を制御する伝送速度制御ステップと、
前記伝送速度制御ステップで制御された伝送速度の時間変化を監視する監視ステップと、
前記監視ステップによる監視結果に基づいて第１の方法または第２の方法を選択する帯域制御ステップと、
を備えたことを特徴とする帯域制御方法。
【請求項８】
回線品質に応じて伝送速度の切替を行う第１の方法、または、伝送速度が段階的に回復するように伝送速度の切替を行う第３の方法により、伝送速度を制御する伝送速度制御ステップと、
前記伝送速度制御ステップで制御された伝送速度の時間変化を監視する監視ステップと、
前記監視ステップによる監視結果に基づいて第１の方法または第３の方法を選択する帯域制御ステップと、
を備えたことを特徴とする帯域制御方法。
【請求項９】
請求項７または請求項８に記載の帯域制御方法を電子計算機に実行させるプログラム。
【発明の詳細な説明】
【技術分野】
【０００１】
この発明は、通信システムにおける帯域制御方式に関するものである。
【背景技術】
【０００２】
従来、変調方式の切換や伝送容量モードの切換、要するに伝送速度の切換を、回線品質に応じて行う通信システムが知られている（例えば特許文献１、特許文献２参照）。
【０００３】
【特許文献１】特開２００５−８６４０９号公報
【特許文献２】特開平１１−２５２１９３号公報
【発明の開示】
【発明が解決しようとする課題】
【０００４】
特許文献１、特許文献２に開示された従来の通信システムにおいては、物理層（レイヤ１）における回線品質の変動による伝送速度の切替が頻繁に行われる場合などで、伝送速度の切替処理による遅延や負荷などがデータリンク層（レイヤ２）における帯域に与える影響を無視できないとき、最適な帯域が得られるとは限らないという問題点があった。
【０００５】
この発明は、上述のような課題を解決するためになされたもので、通信システムにおいて、伝送速度の切替処理による影響を抑え、回線品質の変動によらずに最適な帯域で利用できるようにすることを目的としている。
【課題を解決するための手段】
【０００６】
この発明に係る帯域制御方式は、回線品質に応じて伝送速度の切替を行う第１の方式、または、第１の方式による切替の頻度を下げて伝送速度の切替を行う第２の方式により、伝送速度を制御する伝送速度制御部と、前記伝送速度制御部で制御された伝送速度の時間変化を監視する監視部と、前記監視部による監視結果に基づいて第１の方式または第２の方式を選択する帯域制御部と、を備えたものである。
【発明の効果】
【０００７】
この発明は、通信システムにおいて、回線品質の変動によらずに最適な帯域で利用できるようにすることができる。
【発明を実施するための最良の形態】
【０００８】
実施の形態１．
この発明の実施の形態１による帯域制御方式は、監視部において、伝送速度制御部による伝送速度の切替の頻度を監視し、帯域制御部において、伝送速度の切替の頻度が第１のしきい値以下のとき、回線品質の時間変化に応じて伝送速度の切替を行う第１の方式を選択し、伝送速度の切替の頻度が第１のしきい値を超えたとき、第１の方式による切替の頻度を下げて伝送速度の切替を行う第２の方式を選択するようにしたので、通信システムにおいて、伝送速度の切替処理による影響を抑え、回線品質の変動によらずに最適な帯域で利用できるようにすることができるものである。
【０００９】
図１は、この発明の実施の形態１による帯域制御方式を示す構成図である。なお、各図において、同一符号は同一または相当部分を示す。図１において、１は物理層（レイヤ１）における伝送速度を制御するための伝送速度制御部、２はデータリンク層（レイヤ２）における帯域を制御するための帯域制御部、３は伝送速度の時間変化を監視し、これにより、伝送速度の切替頻度を監視する監視部、４は伝送速度の切替頻度と最適帯域のための伝送速度の最大切替頻度との関係を示す情報を保持する最適帯域情報保持部である。また、１０１はメタル線伝送方式に用いられる通信装置としてのモデム、１０２は伝送速度が制御されたアナログ信号を伝送する伝送路としてのメタル線伝送路である。
【００１０】
なお、伝送速度の切替頻度と最適帯域のための伝送速度の最大切替頻度との関係を示す情報は、メタル線伝送システムの仕様や実使用条件などに基づいて予め求められ、最適帯域情報保持部４に保持されているものである。
【００１１】
次に動作について説明する。図１において、伝送速度制御部１は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されたアナログ信号をメタル線伝送路１０２を介して送受信する。メタル線伝送方式においては、メタル線を伝送するアナログ信号レベルのノイズや干渉により、物理層（レイヤ１）における回線品質が変動する場合がある。それに伴い、伝送速度制御部１は、回線品質に対応する受信の信号対雑音電力比や符号誤り率等を監視し、ＯＦＤＭ方式における各キャリアに割り付けるビット数や使用キャリアを変更することで、送受信における伝送速度の切替を行う。このように、伝送速度制御部１は、回線品質の変動に即座に追従して伝送速度の切替を時々刻々と行う第１の方式を用いて、伝送速度を制御することができる。これにより、回線品質の変動が少ないときに、理想帯域に近い最適な帯域を得ることができる。
【００１２】
また、回線品質の変動が多い場合で、第１の方式による伝送速度の切替処理がデータリンク層（レイヤ２）における帯域に与える影響を無視できなくなるとき、帯域を最適化するためには、回線品質のみならず伝送速度の切替処理の影響に応じた伝送速度を用いることが必要となる。このため、伝送速度制御部１は、第１の方式による切替の頻度を下げて伝送速度の切替を行う第２の方式を用いて、伝送速度を制御することもできる。そして、帯域制御部２は、最適に帯域を制御するための帯域制御方式として、伝送速度制御部１で用いる伝送速度制御方式の選択を行う。
【００１３】
図２は、この発明の実施の形態１による帯域制御方式の動作を示すフローチャートである。図２において、帯域制御部２は所定の時間間隔で伝送速度制御部１から各時刻における伝送速度の情報を収集して監視部３に通知し、これにより、監視部３は伝送速度の切替頻度を監視する（ＳＴ１１）。監視部３は、その切替頻度が第１のしきい値を超えたら（ＳＴ１２の切替頻度しきい値超過）、帯域制御部２に通知する。帯域制御部２は、最適帯域情報保持部４を参照し、最適帯域情報保持部４が保持する切替頻度と最適帯域のための最大切替頻度の関係を示す情報から、第１のしきい値より若干大きい最適値として、伝送速度の最大切替頻度を決定する（ＳＴ１３）。そして、帯域制御部２は、伝送速度制御部１に、この最大切替頻度を設定することで、最大切替頻度以下で伝送速度の切替を行う第２の方式を選択する（ＳＴ１４）。
【００１４】
一方、図２において、監視部３での伝送速度の切替頻度の監視において、切替頻度が第１のしきい値以下であれば帯域制御部２に通知する（ＳＴ１２のｅｌｓｅ）。帯域制御部２は、伝送速度制御部１の最大切替頻度の制御をＯＦＦにすることで、回線品質の変動に追従して伝送速度の切替を行う第１の方式を選択する（ＳＴ１５）。
【００１５】
図３と図４は、この発明の実施の形態１による帯域制御方式を説明するための説明図である。図３と図４における回線品質の時間的変動は同じであり、回線品質の変動が多く、伝送速度の切替が頻繁に行われる期間がある場合を示している。図３において、ノイズや干渉による回線品質の変動に追従する第１の方式のみを用いる場合、（比較的に狭い間隔で並んだ矢印で模式的に示すように）時間軸上のある期間に伝送速度切替が頻繁に行われるとき、伝送速度の切替が瞬時に行われるという理想的な仮定の下では、破線で示す理想帯域を得ることができる。しかし、実際には伝送速度の切替処理が伝送速度やパケット転送処理性能に影響を与えて実線で示す帯域しか得られない。これは、ＯＦＤＭ方式の変調条件の頻繁な変更による伝送速度の切替処理において、伝送速度の切替処理の遅延により最適な伝送速度への切替が遅れたり、例えばマイクロコンピュータで処理する場合に伝送速度の切替処理の処理時間の増加によりパケット転送処理のための処理時間が減少したりするようになるためである。これに対して、図４において、（比較的に広い間隔で並んだ矢印で模式的に示すように）上述の期間に伝送速度の切替頻度を下げる第２の方式に切替えることで、伝送速度の切替処理による伝送速度やパケット転送処理への影響が抑えられるので、実線で示すように、図３と比べて理想帯域に近い帯域に最適化することができるのである。
【００１６】
以上のように、この発明の実施の形態１による帯域制御方式においては、伝送速度の切替の頻度を監視し、伝送速度の切替の頻度が第１のしきい値以下のとき、回線品質の変動に即座に追従して伝送速度の切替を行い、伝送速度の切替の頻度が第１のしきい値を超えたとき、切替の頻度を下げて伝送速度の切替を行うようにしている。これにより、回線品質の変動が少ないときに、回線品質に応じた伝送速度を用いて帯域を最適化することができ、回線品質の変動が多いときに、回線品質のみならず伝送速度の切替処理の影響に応じた伝送速度を用いて帯域を最適化することができる。このため、回線品質の変動によらずに最適な帯域で利用できるようにすることができる。
【００１７】
実施の形態２．
この発明の実施の形態２による帯域制御方式は、監視部において、伝送速度制御部による伝送速度の切替における伝送速度の低下量を監視し、帯域制御部において、伝送速度の低下量が第２のしきい値以下のとき、回線品質の時間変化に応じて伝送速度の切替を行う第１の方式を選択し、伝送速度の低下量が第２のしきい値を超えたとき、伝送速度が段階的に上がるように伝送速度の切替を行う第３の方式を選択するようにしたので、通信システムにおいて、伝送速度の切替処理による影響を抑え、回線品質の変動によらずに最適な帯域で利用できるようにすることができるものである。
【００１８】
この発明の実施の形態２による帯域制御方式を示す構成図は、実施の形態１の図１と同様である。なお、各図において、同一符号は同一または相当部分を示す。図１において、１は物理層（レイヤ１）における伝送速度を制御するための伝送速度制御部、２はデータリンク層（レイヤ２）における帯域を制御するための帯域制御部、３は伝送速度の時間変化を監視し、これにより、伝送速度の低下量を監視する監視部、４は伝送速度の低下量と最適帯域のための伝送速度の段階的な回復量との関係を示す情報を保持する最適帯域情報保持部である。また、１０１はメタル線伝送方式に用いられる通信装置としてのモデム、１０２は伝送速度が制御されたアナログ信号を伝送する伝送路としてのメタル線伝送路である。
【００１９】
なお、伝送速度の低下量と最適帯域のための伝送速度の段階的な回復量との関係を示す情報は、メタル線伝送システムの仕様や実使用条件などに基づいて予め求められ、最適帯域情報保持部４に保持されているものである。
【００２０】
次に動作について説明する。図１において、伝送速度制御部１は、ＯＦＤＭ方式で変調されたアナログ信号をメタル線伝送路１０２を介して送受信する。メタル線伝送方式においては、メタル線を伝送するアナログ信号レベルのノイズや干渉により、物理層（レイヤ１）における回線品質が変動する場合がある。それに伴い、伝送速度制御部１は、回線品質に対応する受信の信号対雑音電力比や符号誤り率等を監視し、ＯＦＤＭ方式における各キャリアに割り付けるビット数や使用キャリアを変更することで、送受信における伝送速度の切替を行う。このように、伝送速度制御部１は、回線品質の変動に即座に追従して伝送速度の切替を時々刻々と行う第１の方式を用いて、伝送速度を制御することができる。これにより、回線品質の変動が小さいときに、理想帯域に近い最適な帯域を得ることができる。
【００２１】
また、回線品質の変動が大きい場合で、第１の方式による伝送速度の切替処理がデータリンク層（レイヤ２）における帯域に与える影響を無視できなくなるとき、帯域を最適化するためには、回線品質のみならず伝送速度の切替処理の影響に応じた伝送速度を用いることが必要となる。このため、伝送速度制御部１は、伝送速度が段階的に回復するように伝送速度の切替を行う第３の方式を用いて、伝送速度を制御することもできる。そして、帯域制御部２は、最適に帯域を制御するための帯域制御方式として、伝送速度制御部１で用いる伝送速度制御方式の選択を行う。
【００２２】
図５は、この発明の実施の形態２による帯域制御方式の動作を示すフローチャートである。図５において、帯域制御部２は所定の時間間隔で伝送速度制御部１から各時刻における伝送速度の情報を収集して監視部３に通知し、これにより、監視部３は伝送速度の低下量を監視する（ＳＴ２１）。監視部３は、その低下量が第２のしきい値を超えたら（ＳＴ２２の低下量しきい値超過）、帯域制御部２に通知する。帯域制御部２は、最適帯域情報保持部４を参照し、最適帯域情報保持部４が保持する伝送速度の低下量と最適帯域のための伝送速度の段階的な回復量との関係を示す情報から、最適な伝送速度の回復量を決定する（ＳＴ２３）。そして、帯域制御部２は、伝送速度制御部１に、この伝送速度の回復量を設定することで、伝送速度を段階的に回復させる第３の方式を選択する（ＳＴ２４）。
【００２３】
一方、図５において、監視部３での伝送速度の低下量の監視において、低下量が第２のしきい値以下であれば帯域制御部２に通知する（ＳＴ２２のｅｌｓｅ）。帯域制御部２は、伝送速度制御部の回復量の制御をＯＦＦにすることで、回線品質の変動に追従して伝送速度の切替を行う第１の方式を選択する（ＳＴ２５）。
【００２４】
図６と図７は、この発明の実施の形態２による帯域制御方式を説明するための説明図である。図６と図７における回線品質の時間的変動は同じであり、回線品質の変動が大きく、伝送速度の低下量が大きい期間がある場合を示している。図６において、ノイズや干渉による回線品質の変動に追従する第１の方式のみを用いる場合、ある瞬間に回線品質が大きく下がり、短い期間で大幅に回復するとき、伝送速度の切替が瞬時に行われるという理想的な仮定の下では、破線で示す理想帯域を得ることができる。しかし、実際には伝送速度の切替処理が伝送速度やパケット転送処理性能に影響を与えて実線で示す帯域しか得られない。これは、ＯＦＤＭ方式の変調条件の大幅な変更による伝送速度の切替処理において、伝送速度の切替処理の遅延により最適な伝送速度への切替が遅れたり、例えばマイクロコンピュータで処理する場合に伝送速度の切替処理の処理時間の増加によりパケット転送処理のための処理時間が減少したりするようになるためである。これに対して、図７において、上述の期間に伝送速度を段階的に回復させる第３の方式に切替えることで、伝送速度の切替処理による伝送速度やパケット転送処理への影響が抑えられるので、実線で示すように、図６と比べて理想帯域に近い帯域に最適化することができるのである。
【００２５】
以上のように、この発明の実施の形態２による帯域制御方式においては、伝送速度の低下量を監視し、伝送速度の低下量が第２のしきい値以下のとき、回線品質の変動に即座に追従して伝送速度の切替を行い、伝送速度の低下量が第２のしきい値を超えたとき、伝送速度が段階的に上がるように伝送速度の切替を行うようにしている。これにより、回線品質の変動が小さいときに、回線品質に応じた伝送速度を用いて帯域を最適化することができ、回線品質の変動が大きいときに、回線品質のみならず伝送速度の切替処理の影響に応じた伝送速度を用いて帯域を最適化することができる。このため、回線品質の変動によらずに最適な帯域で利用できるようにすることができる。
【００２６】
実施の形態３．
実施の形態１では伝送速度の切替頻度を監視する場合について示し、実施の形態２では伝送速度の低下量を監視する場合について示したが、この発明の実施の形態３による帯域制御方式としては、伝送速度の切替頻度と低下量の両方を監視する場合について示す。
【００２７】
この発明の実施の形態３による帯域制御方式を示す構成図は、実施の形態１の図１と同様である。なお、各図において、同一符号は同一または相当部分を示す。図１において、１は物理層（レイヤ１）における伝送速度を制御するための伝送速度制御部、２はデータリンク層（レイヤ２）における帯域を制御するための帯域制御部、３は伝送速度の時間変化を監視し、これにより、伝送速度の切替頻度および伝送速度の低下量を監視する監視部、４は伝送速度の切替頻度と最適帯域のための伝送速度の最大切替頻度との関係を示す情報および伝送速度の低下量と最適帯域のための伝送速度の段階的な回復量との関係を示す情報を保持する最適帯域情報保持部である。また、１０１はメタル線伝送方式に用いられる通信装置としてのモデム、１０２は伝送速度が制御されたアナログ信号を伝送する伝送路としてのメタル線伝送路である。
【００２８】
なお、伝送速度の切替頻度と最適帯域のための伝送速度の最大切替頻度との関係を示す情報および伝送速度の低下量と最適帯域のための伝送速度の段階的な回復量との関係を示す情報は、メタル線伝送システムの仕様や実使用条件などに基づいて予め求められ、最適帯域情報保持部４に保持されているものである。
【００２９】
次に動作について説明する。図１において、伝送速度制御部１は、ＯＦＤＭ方式で変調されたアナログ信号をメタル線伝送路１０２を介して送受信する。メタル線伝送方式においては、メタル線を伝送するアナログ信号レベルのノイズや干渉により、物理層（レイヤ１）における回線品質が変動する場合がある。それに伴い、伝送速度制御部１は、回線品質に対応する受信の信号対雑音電力比や符号誤り率等を監視し、ＯＦＤＭ方式における各キャリアに割り付けるビット数や使用キャリアを変更することで、送受信における伝送速度の切替を行う。このように、伝送速度制御部１は、回線品質の変動に即座に追従して伝送速度の切替を時々刻々と行う第１の方式を用いて、伝送速度を制御することができる。これにより、回線品質の変動が少なくて小さいときに、理想帯域に近い最適な帯域を得ることができる。
【００３０】
また、回線品質の変動が多い場合で、第１の方式による伝送速度の切替処理がデータリンク層（レイヤ２）における帯域に与える影響を無視できなくなるとき、帯域を最適化するためには、回線品質のみならず伝送速度の切替処理の影響に応じた伝送速度を用いることが必要となる。このため、伝送速度制御部１は、第１の方式による切替の頻度を下げて伝送速度の切替を行う第２の方式を用いて、伝送速度を制御することもできる。
【００３１】
また、回線品質の変動が大きい場合で、第１の方式による伝送速度の切替処理がデータリンク層（レイヤ２）における帯域に与える影響を無視できなくなるとき、帯域を最適化するためには、回線品質のみならず伝送速度の切替処理の影響に応じた伝送速度を用いることが必要となる。このため、伝送速度制御部１は、伝送速度が段階的に回復するように伝送速度の切替を行う第３の方式を用いて、伝送速度を制御することもできる。そして、帯域制御部２は、最適に帯域を制御するための帯域制御方式として、伝送速度制御部１で用いる伝送速度制御方式の選択を行う。
【００３２】
図８は、この発明の実施の形態３による帯域制御方式の動作を示すフローチャートである。図８において、帯域制御部２は所定の時間間隔で伝送速度制御部１から各時刻における伝送速度の情報を収集して監視部３に通知し、これにより、監視部３は伝送速度の切替頻度および伝送速度の低下量を監視する（ＳＴ３１）。監視部３は、その切替頻度が第１のしきい値を超えたら（ＳＴ３２の切替頻度しきい値超過）、帯域制御部２に通知する。帯域制御部２は、最適帯域情報保持部４を参照し、最適帯域情報保持部４が保持する切替頻度と最適帯域のための最大切替頻度の関係を示す情報から、第１のしきい値より若干大きい最適値として、伝送速度の最大切替頻度を決定する（ＳＴ３３）。そして、帯域制御部２は、伝送速度制御部１に、この最大切替頻度を設定することで、最大切替頻度以下で伝送速度の切替を行う第２の方式を選択する（ＳＴ３４）。これにより、実施の形態１における図３と図４による説明と同様に、回線品質の変動が多いときに、伝送速度の切替処理による伝送速度やパケット転送処理への影響が抑えられるので、最適な帯域を得ることができる。
【００３３】
また、図８において、監視部３は、伝送速度の低下量が第２のしきい値を超えたら（ＳＴ３２の低下量しきい値超過）、帯域制御部２に通知する。帯域制御部２は、最適帯域情報保持部４を参照し、最適帯域情報保持部４が保持する伝送速度の低下量と最適帯域のための伝送速度の段階的な回復量との関係を示す情報から、最適な伝送速度の回復量を決定する（ＳＴ３５）。そして、帯域制御部２は、伝送速度制御部１に、この伝送速度の回復量を設定することで、伝送速度を段階的に回復させる第３の方式を選択する（ＳＴ３６）。これにより、実施の形態２における図６と図７による説明と同様に、回線品質の変動が大きいときに、伝送速度の切替処理による伝送速度やパケット転送処理への影響が抑えられるので、最適な帯域を得ることができる。
【００３４】
一方、図８において、監視部３での伝送速度の切替頻度の監視において、伝送速度の切替頻度が第１のしきい値以下であり、かつ、伝送速度の低下量が第２のしきい値以下であれば帯域制御部２に通知する（ＳＴ３２のｅｌｓｅ）。帯域制御部２は伝送速度制御部の切替頻度または回復量の制御をＯＦＦにすることで、回線品質の変動に追従して伝送速度の切替を行う第１の方式を選択する（ＳＴ３７）。
【００３５】
以上のように、この発明の実施の形態３による帯域制御方式においては、伝送速度の切替の頻度および伝送速度の低下量を監視し、伝送速度の切替の頻度が第１のしきい値以下で伝送速度の低下量が第２のしきい値以下のとき、回線品質の変動に即座に追従して伝送速度の切替を行い、伝送速度の切替の頻度が第１のしきい値を超えたとき、切替の頻度を下げて伝送速度の切替を行い、伝送速度の低下量が第２のしきい値を超えたとき、伝送速度が段階的に上がるように伝送速度の切替を行うようにしている。これにより、回線品質の変動が少なくて小さいときに、回線品質に応じた伝送速度を用いて帯域を最適化することができ、回線品質の変動が多いとき、または、回線品質の変動が大きいときに、回線品質のみならず伝送速度の切替処理の影響に応じた伝送速度を用いて帯域を最適化することができる。このため、回線品質の変動によらずに最適な帯域で利用できるようにすることができる。
【００３６】
なお、上述のように、この発明の実施の形態１〜３による帯域制御方式は、メタル線伝送システムに適用する場合を示したが、適用可能な通信システムがこれに限られるものではなく、例えば無線通信システムや光通信システムなどにも適用可能である。
【００３７】
また、この発明の実施の形態１〜３による帯域制御方式に対応する帯域制御方法は、通信装置に設けたマイクロコンピュータ等に実行させるプログラムを用いてソフトウエア処理により実現するようにしても良い。
【図面の簡単な説明】
【００３８】
【図１】この発明の実施の形態１〜３による帯域制御方式を示す構成図
【図２】この発明の実施の形態１による帯域制御方式を説明するための説明図
【図３】この発明の実施の形態１による帯域制御方式を説明するための説明図
【図４】この発明の実施の形態１による帯域制御方式を説明するための説明図
【図５】この発明の実施の形態２による帯域制御方式を説明するための説明図
【図６】この発明の実施の形態２による帯域制御方式を説明するための説明図
【図７】この発明の実施の形態２による帯域制御方式を説明するための説明図
【図８】この発明の実施の形態３による帯域制御方式を説明するための説明図
【符号の説明】
【００３９】
１  伝送速度制御部
２  帯域制御部
３  監視部
４  最適帯域情報保持部
【図１】
2007312095.tif 000003
【図２】
2007312095.tif 000004
【図３】
2007312095.tif 000005
【図４】
2007312095.tif 000006
【図５】
2007312095.tif 000007
【図６】
2007312095.tif 000008
【図７】
2007312095.tif 000009
【図８】
2007312095.tif 000010